(57)【特許請求の範囲】
【請求項１】
複数の電子部品チップを収納するための収納部と前記収納部から前記電子部品チップを排出するための排出口とを有するケース、
前記排出口を開閉するためのシャッター、
前記シャッターが前記排出口を閉じた状態で前記シャッターの動きを停止させるためのストッパ、および
前記排出口が閉じた状態であることを表示するための表示手段を含む、電子部品チップ収納カセット。
【請求項２】
外周面に突起部を有する回転体で前記ストッパが形成されるとともに、前記シャッターには前記突起部を挿入するための孔が形成され、前記ストッパーを回転させて前記孔に前記突起部を出し入れすることにより前記シャッターの可動状態と停止状態とが切り換えられ、前記ストッパーの回転角度を示すことにより前記表示手段が形成される、請求項１に記載の電子部品チップ収納カセット。
【請求項３】
棒状の留め具で前記ストッパが形成されるとともに、前記シャッターに前記留め具を挿通するための孔が形成され、前記孔に前記留め具を挿通して前記ケースに固定することにより前記シャッターを停止させ、前記ストッパの有無によって前記表示手段が形成される、請求項１に記載の電子部品チップ収納カセット。
【請求項４】
前記シャッターに回転可能に形成された長形のノブで前記ストッパが形成されるとともに、前記ケースに前記ノブがスライドするためのスライド溝と前記スライド溝に連続した前記スライド溝の幅より大きい孔とが形成され、前記孔の部分で前記ストッパの長手方向が前記スライド溝の幅方向に向くように前記ストッパを回転させることにより前記シャッターを停止させ、前記ストッパの向きによって前記表示手段が形成される、請求項１に記載の電子部品チップ収納カセット。
【発明の詳細な説明】
【０００１】
【発明の属する技術分野】
この発明は、電子部品チップ収納カセットに関し、特に、たとえば積層コンデンサ、チップ抵抗、チップインダクタ、チップＩＣフィルタなどのチップ部品を収納して保管、移送するための電子部品チップ収納カセットに関する。
【０００２】
【従来の技術】
図１０は、従来の電子部品チップ収納カセットの一例を示す図解図である。電子部品チップ収納カセット１は、ケース２を含む。ケース２内には、電子部品チップを収納するための収納部３が形成される。この収納部３に連続して、ケース２には、電子部品チップを外部に排出するための排出口４が形成される。ケース２の側面には、ノブ５をスライドさせるためのスライド溝６が形成され、ノブ５に固定された薄板状のシャッター７が摺動可能に取りつけられている。シャッター７は、ケース２の側面部から排出口４を横切るように導かれ、ノブ５をスライドさせることによって、排出口４がシャッター７で開閉される。
【０００３】
ケース２の収納部３には、電子部品チップが収納され、排出口４がシャッター７で閉じられた状態でユーザーに移送される。ユーザーにおいては、装着機によって、回路基板などに電子部品チップが実装される。このとき、電子部品チップは、装着機に電子部品チップを供給するための供給機に投入される。そして、供給機から電子部品チップが装着機に供給され、装着機によって電子部品チップが回路基板上に実装される。
【０００４】
【発明が解決しようとする課題】
しかしながら、このような電子部品チップ収納カセットでは、シャッターが摺動しないように固定することができず、輸送の途中で電子部品チップが漏れる場合がある。また、完全にシャッターが閉じた状態であるかどうかの確認が難しい。さらに、電子部品チップを装着機に供給するため、供給機の受け入れ部に電子部品チップが投入されるが、シャッターが容易に開くため、電子部品チップ収納カセットを誤って供給機にセットすると、特性の異なるチップ部品が混合してしまう危険性がある。
これに対して、特開平８−１６７７９２号のように、シャッターに凸部を設け、ケースにこの凸部に対応する凹部を設けて係合させることにより、容易にシャッターが開閉しないような構造の電子部品チップ収納カセットが知られている。しかしながら、特開平８−１６７７９２号では、シャッターの凸部およびケースの凹部はケース内部に存在するため、係合した状態であるかどうかが目視することができなかった。そのため、シャッターの凸部とケースの凹部が完全に係合されない状態で取り扱われる可能性があり、この場合には、図１０に示した従来の電子部品チップ収納カセットと同様の問題を有している。
【０００５】
それゆえに、この発明の主たる目的は、確実にシャッターが閉じた状態で固定することができ、シャッターが閉じた状態であることを確認することができるとともに、チップ部品の誤投入の防止に対応できる電子部品チップ収納カセットを提供することである。
【０００６】
【課題を解決するための手段】
この発明は、複数の電子部品チップを収納するための収納部と収納部から電子部品チップを排出するための排出口とを有するケースと、排出口を開閉するためのシャッターと、シャッターが排出口を閉じた状態でシャッターの動きを停止させるためのストッパと、排出口が閉じた状態であることを表示するための表示手段とを含む、電子部品チップ収納カセットである。
このような電子部品チップ収納カセットにおいて、外周面に突起部を有する回転体でストッパが形成されるとともに、シャッターには突起部を挿入するための孔が形成され、ストッパーを回転させて孔に突起部を出し入れすることによりシャッターの可動状態と停止状態とが切り換えられ、ストッパーの回転角度を示すことにより表示手段が形成されてもよい。
また、棒状の留め具でストッパが形成されるとともに、シャッターに留め具を挿通するための孔が形成され、孔に留め具を挿通してケースに固定することによりシャッターを停止させ、ストッパの有無によって表示手段が形成されてもよい。
さらに、シャッターに回転可能に形成された長形のノブでストッパが形成されるとともに、ケースにノブがスライドするためのスライド溝とスライド溝に連続したスライド溝の幅より大きい孔とが形成され、孔の部分でストッパの長手方向がスライド溝の幅方向に向くようにストッパを回転させることによりシャッターを停止させ、ストッパの向きによって表示手段が形成されてもよい。
【０００７】
ケースの排出口を閉じた状態でシャッターの動きがストッパによって停止させられるため、輸送途中などにおいて、収納部に納められた電子部品チップが漏れることを防止することができる。また、排出口が閉じた状態であることを表示する表示手段があることにより、シャッターが完全に閉じていることを確認することができる。さらに、電子部品チップを投入する供給機に、電子部品チップの種類を確認した上でストッパを外す機構を導入することにより、電子部品チップの誤投入を防止することができる。
ストッパとして外周部に突起部を有する回転体を採用し、シャッターに形成された孔に突起部を挿入することにより、シャッターの動きを停止させることができる。そして、ストッパを回転させることにより、シャッターの可動状態と停止状態とが切り換えられる。このとき、ストッパの回転角度を示すことにより、シャッターが可動状態であるか停止状態であるかを確認することができる。
また、ストッパとして棒状の留め具を採用することができ、この場合、シャッターに形成された孔に留め具を挿通してケースに固定することにより、シャッターの動きを停止させることができる。このとき、留め具があることにより、シャッターが停止状態であることを確認することができる。
さらに、ストッパとしてシャッターに回転可能に形成された長形のノブを採用することができ、この場合、ノブがケースのスライド溝をスライドすることにより、シャッターを開閉することができる。そして、シャッターが閉じた状態でノブが孔の位置にくるようにし、スライド溝の幅より大きい孔の位置で、ノブの長手方向がスライド溝の幅方向に向くように回転させることにより、ノブがスライド溝でスライドできなくなり、シャッターの動きが停止される。したがって、ノブの向きによって、シャッターが可動状態であるか停止状態であるかを確認することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の電子部品チップ収納カセットの一例を示す図解図である。電子部品チップ収納カセット１０は、ケース１２を含む。ケース１２内には、電子部品チップを収納するための収納部１４が形成される。さらに、ケース１２の一端には、収納部１４に連続して、収納部１４に収納された電子部品チップを排出するための排出口１６が形成される。
【００１０】
ケース１２の側面には、ノブ１８がスライドするためのスライド溝２０が形成される。ノブ１８は、薄板状のシャッター２２に取り付けられており、ノブ１８をスライド溝２０内でスライドさせることにより、シャッター２２をスライド溝２０に沿って摺動させることができる。
【００１１】
また、排出口１６の近傍において、ケース１２の内部が略円弧状に形成された方向変換部２４が形成される。この方向変換部２４にシャッター２２が導かれることにより、シャッター２２の向きが排出口１６を横切る向きに変換される。さらに、排出口１６の両端部には、シャッター保持部２６，２８が形成される。シャッター保持部２６，２８は、互いに対向して形成され、シャッター２２が通る隙間として形成される。これらのシャッター保持部２６，２８にシャッター２２が挿通されることにより、排出口１６が閉じられた状態で、シャッター２２を安定して保持することができる。
【００１２】
さらに、図２に示すように、方向変換部２４の手前において、ストッパ３０が形成される。ストッパ３０は円柱状に形成され、図３に示すように、上下に形成された凸状部３０ａ，３０ｂがケース１２に回転可能に保持される。一方の凸状部３０ａは、ケース１２の外部に露出するように保持される。そして、この凸状部３０ａの表面に、たとえばマイナスドライバなどを当てるためのドライバ溝３２が形成される。したがって、ドライバ溝３２にドライバを当てて回転させることにより、ストッパ３０を回転させることができる。
【００１３】
ストッパ３０の外周面には、突起部３４が形成される。この突起部３４は、シャッター２２の動きを停止させるためのものであり、図４に示すように、シャッター２２には、突起部３４が通る孔３６が形成される。孔３６は、シャッター２２がケース１２の排出口１６を閉じた状態のときに、突起部３４形成部に位置するように形成される。突起部３４は、図４の矢印に示すように、ストッパ３０を回転させることにより、シャッター２２側に向けたり、シャッター２２側から外したりすることができる。このとき、ドライバ溝３２の向きによって、突起部３４がどの向きにあるかを表示することができる。
【００１４】
このような電子部品チップ収納カセット１０では、図２において直線状の矢印で示すように、シャッター２２でケース１２の排出口１６を閉じて、図２において円弧状の矢印で示すように、ストッパ３０を回転させることにより、突起部３４がシャッター２２の孔３６に挿入し、シャッター２２の動きが停止させられる。また、ストッパ３０を回転させて、突起部３４をシャッター２２の孔３６から外せば、シャッター２２は摺動可能となり、排出口１６を開いて、内部の電子部品チップを排出することができる。
【００１５】
このとき、ストッパ３０のドライバ溝３２の向きを示すように、ケース１２に表示部３８を形成してもよい。たとえば、ストッパ３０がシャッター２２の孔３６に挿入した状態のときにドライバ溝３２が指す位置に「ＬＯＣＫ」などの文字を形成し、ストッパ３０がシャッター２２の孔３６から外れた状態のときにドライバ溝３２が指す位置に「ＲＥＬＥＡＳＥ」などの文字を形成することが考えられる。なお、このような文字は必ずしも形成される必要はなく、ドライバ溝３２の向きだけでも、シャッター２２が可動状態か停止状態かを示す表示手段として十分な働きをするものである。
【００１６】
この電子部品チップ収納カセット１０では、シャッター２２でケース１２の排出口１６を閉じた状態で、シャッター２２の動きを確実に停止させることができる。そのため、輸送中に、収納部１４に収納された電子部品チップが漏れたりすることを防ぐことができる。また、シャッター２２が可動状態であるか停止状態であるかが、ストッパ３０のドライバ溝３２の向きによって確認できるため、確実に排出口１６が閉じた状態であることを知ることができる。
【００１７】
また、電子部品チップ収納カセット１０を回路基板などに実装する際に、電子部品チップを供給するための供給機に電子部品チップ収納カセット１０が装着される。このとき、電子部品チップの種類を確認したのちに、ストッパ３０を回転させる機構を供給機に導入することにより、異なる特性の電子部品チップが誤って投入されることを防止することができる。
【００１８】
さらに、図５および図６に示すように、ストッパとして、ピン状の留め具４０を用いてもよい。この場合、ケース１２に止め具４０を固定するためのブッシュ４２が形成される。そして、シャッター２２で排出口１６が閉じられた状態で、シャッター２２の孔３６を挿通するようにして、留め具４０をブッシュ４２に固定することにより、シャッター２２の動きを停止させることができる。このとき、留め具４０の有無によって、シャッター２２が可動状態であるか停止状態であるかを知ることができる。
【００１９】
また、図７に示すように、ストッパとして用いられるノブ４４をシャッター２２に取り付けることもできる。ノブ４４の中央部にはドライバ溝４６が形成され、ノブ４４はシャッター２２に回転可能に取り付けられる。このノブ４４は、ケース１２に形成されたスライド溝２０内をスライドできるように保持される。
【００２０】
ノブ４４は、図８（Ａ）（Ｂ）に示すように、ドライバ溝４６を中心として、略円弧状の凸部４８が形成される。ケース１２に形成されたスライド溝２０の幅は、ノブ４４の幅とほぼ同じとなるように形成され、ノブ４４の幅方向がスライド溝２０の幅方向に一致する状態で、スライド溝２０内をスライドすることができる。
【００２１】
さらに、スライド溝２０の一端側には、スライド溝２０の幅より大きい径を有する円形の回転用孔５０が形成される。この回転用孔５０の内径は、ノブ４４に形成された凸部４８の外径とほぼ一致するように形成される。したがって、回転用孔５０内において、ノブ４４は回転可能となる。この回転用孔５０は、シャッター２２がケース１２の排出口１６を閉じた状態のときに、ノブ４４が位置する部分に形成される。
【００２２】
このような電子部品チップ収納カセット１０では、ノブ４４をスライド溝２０内でスライドさせることにより、シャッター２２で排出口１６を開閉することができる。そして、シャッター２２がケース１２の排出口１６を閉じた状態で、回転用孔５０内においてノブ４４を回転させることにより、図９に示すように、ノブ４４の長手方向をスライド溝２０の幅方向に一致させることができる。このような状態にすることにより、ノブ４４はスライド溝２０内でスライドできなくなり、シャッター２２の動きが停止される。
【００２３】
この電子部品チップ収納カセット１０においても、ノブ４４を回転用孔５０内で回転させることにより、シャッター２２が閉じた状態で保持することができる。しかも、ノブ４４の向きによって、シャッター２２の動きが停止した状態であるかどうかを知ることができる。さらに、電子部品チップを回路基板などに実装する際に、電子部品チップの種類を確認したのちに、ノブ４４を回転させる機構を供給機に導入することにより、異なる特性の電子部品チップが誤って投入されることを防止することができる。
【００２４】
【発明の効果】
この発明によれば、ケースの排出口をシャッターが閉じた状態で、シャッターの動きを停止させることができる。また、シャッターが可動状態であるか停止状態であるかが、ストッパの状態によって確認することができる。したがって、輸送途中に、ケース１２から電子部品チップが漏れることを防止することができる。さらに、電子部品チップを回路基板などに実装する際に、電子部品チップの種類を確認したのちに、ストッパ３０を回転させる機構を供給機に導入することにより、異なる特性の電子部品チップが誤って投入されることを防止することができる。
【図面の簡単な説明】
【図１】この発明の電子部品チップ収納カセットの一例を示す図解図である。
【図２】図１に示す電子部品チップ収納カセットの要部を示す図解図である。
【図３】図１および図２に示す電子部品チップ収納カセットのストッパとケースとの関係を示す図解図である。
【図４】図１に示す電子部品チップ収納カセットのストッパとシャッターとの関係を示す図解図である。
【図５】この発明の電子部品チップ収納カセットの他の例を示す要部図解図である。
【図６】図５に示す電子部品チップ収納カセットに用いられるストッパとしての留め具とシャッターとブッシュとの関係を示す図解図である。
【図７】この発明の電子部品チップ収納カセットのさらに他の例を示す要部図解図である。
【図８】（Ａ）は図７に示す電子部品チップ収納カセットに用いられるストッパとしてのノブを示す平面図であり、（Ｂ）はその側面図である。
【図９】図７に示す電子部品チップ収納カセットのストッパとして用いられるノブによりシャッターの動きが停止させられた状態を示す図解図である。
【図１０】従来の電子部品チップ収納カセットの一例を示す図解図である。
【符号の説明】
１０  電子部品チップ収納カセット
１２  ケース
１４  収納部
１６  排出口
１８  ノブ
２０  スライド溝
３０  ストッパ
３２  ドライバ溝
３４  突起部
３６  孔
３８  表示部
４０  留め具
４２  ブッシュ
４４  ノブ
４６  ドライバ溝
４８  凸部
５０  回転孔
【図１】
0003624844.tif 000002
【図２】
0003624844.tif 000003
【図３】
0003624844.tif 000004
【図４】
0003624844.tif 000005
【図５】
0003624844.tif 000006
【図６】
0003624844.tif 000007
【図７】
0003624844.tif 000008
【図８】
0003624844.tif 000009
【図９】
0003624844.tif 000010
【図１０】
0003624844.tif 000011